(57)【要約】【課題】  液晶装置等の電気光学装置において、各ブロックの境目で輝度ムラが発生するのを防止して、高品質な画像表示を行う。【解決手段】  電気光学装置は、Ｎ個のシリアル−パラレル変換された画像信号が外部回路接続端子を介して供給されるＮ本の画像信号線と、Ｎ本の画像信号線の配線方向に交差して形成される中継用配線を含む、Ｎ本の画像信号線のうち対応する一本に夫々接続される複数の分岐配線とを備える。更に、複数の分岐配線から夫々供給される画像信号を、サンプリング信号に応じてデータ線に夫々供給する複数のサンプリングスイッチを含むサンプリング回路と、サンプリング信号を順次供給するデータ線駆動回路とを備える。Ｎ本の画像信号線は、複数の分岐配線相互間の配線抵抗の差を補償するように、少なくとも部分的に相互に配線幅が異なる。【選択図】  図８
2006227243.tif 000002
【特許請求の範囲】
【請求項１】
基板上の画像表示領域に配線された複数の走査線及び複数のデータ線と、
前記走査線及び前記データ線に夫々電気的に接続された複数の画素部と、
前記複数のデータ線を、Ｎ本の前記データ線を１群とするデータ線群毎に駆動するためにＮ（但し、Ｎは２以上の自然数）個のシリアル−パラレル変換された画像信号が外部回路接続端子を介して供給されるＮ本の画像信号線と、
該Ｎ本の画像信号線と、層間絶縁層によって層間絶縁されつつ該Ｎ本の画像信号線の配線方向に交差して形成される中継用配線を含むと共に、前記複数のデータ線の配列に対応して複数配列されており、前記Ｎ本の画像信号線のうち対応する一本に前記中継用配線を含む側の一端が夫々接続される複数の分岐配線と、
該複数の分岐配線の他端から夫々供給される前記画像信号を、サンプリング信号に応じて前記データ線に夫々供給する複数のサンプリングスイッチを含むサンプリング回路と、
前記データ線群に対応する前記サンプリングスイッチ毎に、前記サンプリング信号を順次供給するデータ線駆動回路と
を備えており、
前記Ｎ本の画像信号線は、前記複数の分岐配線相互間の配線抵抗の差を補償するように、少なくとも部分的に相互に配線幅が異なることを特徴とする電気光学装置。
【請求項２】
前記Ｎ本の画像信号線は、前記外部回路接続端子から前記分岐配線を介して前記サンプリング回路に至る配線経路の配線抵抗を揃えるように前記配線幅が異なることを特徴とする請求項１に記載の電気光学装置。
【請求項３】
前記Ｎ本の画像信号線は、前記外部回路接続端子から相互に等しい配線距離にある箇所から、夫々最初に前記中継用配線に接続される箇所まで、前記配線幅が異なることを特徴とする請求項１又は２に記載の電気光学装置。
【請求項４】
前記外部回路接続端子は、前記基板上で平面的に見て、前記基板の一辺に沿って複数配列され、
前記データ線駆動回路は、前記基板上で平面的に見て、前記外部回路接続端子と前記複数の画素部が配列された画像表示領域との間において前記一辺に沿って設けられており、
前記サンプリング回路は、前記基板上で平面的に見て、前記データ線駆動回路と前記画像表示領域との間において、前記一辺に沿って設けられており、
前記Ｎ本の画像信号線は夫々、前記基板上で平面的に見て、前記データ線駆動回路と前記サンプリング回路の間を前記一辺に沿って延びる直線部分と、前記外部回路接続端子から前記データ線駆動回路の周囲を迂回して前記直線部分に至る引回部分とを含み、前記直線部分において前記中継用配線に接続されている
ことを特徴とする請求項１から３のいずれか一項に記載の電気光学装置。
【請求項５】
前記Ｎ本の画像信号線は、相互に配線長さが異なり、前記複数の分岐配線相互間の配線抵抗の差に加えて、前記Ｎ本の画像信号線相互間の配線抵抗の差を補償するように、前記配線幅が異なることを特徴とする請求項４に記載の電気光学装置。
【請求項６】
前記中継用配線は、前記画像信号線と比べて高抵抗の導電材料から形成されていることを特徴とする請求項１から５のいずれか一項に記載の電気光学装置。
【請求項７】
前記複数の分岐配線は夫々、前記中継用配線に続く配線部分として、前記Ｎ本の画像信号線と同一層から形成されている配線部分を含むことを特徴とする請求項１から５のいずれか一項に記載の電気光学装置。
【請求項８】
請求項１から７のいずれか一項に記載の電気光学装置を具備してなることを特徴とする電子機器。
【発明の詳細な説明】
【技術分野】
【０００１】
本発明は、例えば液晶装置等の電気光学装置、及びそのような電気光学装置を具備してなる例えば液晶プロジェクタ等の電子機器の技術分野に関する。
【背景技術】
【０００２】
この種の電気光学装置は、一般に、シリアル−パラレル変換された画像信号に基づいて駆動される。例えば、液晶装置において、基板上の画像表示領域に配線された複数のデータ線は所定の本数毎にブロック化されており、シリアル−パラレル変換された画像信号は、ブロック単位で、該ブロックに含まれるデータ線にサンプリングスイッチを介して供給される。これにより、所定の本数のデータ線が同時に、且つ複数のデータ線は所定の本数毎に順次駆動される。この場合、複数の画像信号線は、基板の周辺領域に配列され、更に画像信号線からサンプリングスイッチまでは、比較的高抵抗の分岐配線及び分岐配線より低抵抗な補助中継用配線によって接続される。複数の分岐配線は、複数のデータ線の配列に対応して複数の画像信号線の配線方向と交差する方向に配列されている。また、各分岐配線は、一端側が、該分岐配線と画像信号線とを層間絶縁する層間絶縁層に開孔されたコンタクトホールを介して、画像信号線に接続されている。
【０００３】
ここで、各分岐配線の配線抵抗又は配線容量の差異による表示ムラの発生を防止する観点から、特許文献１又は２によれば、複数の分岐配線の配線抵抗値は夫々、これら複数の分岐配線の長さや幅を互いに同等にすることなどにより、互いに同等の値に設定される。
【０００４】
他方、走査線やデータ線が引き出された駆動回路を内蔵しない、或いはシリアルーパラレル変換を用いない比較的単純な液晶パネルにおいては、接続端子から走査線やデータ線に引き回される引回し配線における配線抵抗値の相違によって、輝度ムラ或いは縦スジが発生することもある。特許文献３によれば、このような輝度ムラ等の発生を防止するように、引出し配線に屈曲配線部を設け、配線距離に応じて屈曲回数を調整する技術が提案されている。加えて、特許文献４によれば、駆動方式に工夫を加えることで、このような輝度ムラ或いは縦スジの発生を防止する技術が提案されている。
【０００５】
【特許文献１】特開平１０−１３３２２０号公報
【特許文献２】特開平１０−２６８３５０号公報
【特許文献３】特開２００３−１４０１８１号公報
【特許文献４】特開２００４−４６００９号公報
【発明の開示】
【発明が解決しようとする課題】
【０００６】
しかしながら、上述した特許文献１及び２の技術によれば、画像信号線から分岐した中継用配線の長さや幅を互いに同等にすることなどにより、配線抵抗を揃えている。このため、実際に中継用配線を作成する際に、パターニングのバラツキなどに起因して、例えば基板上での中央付近と端付近との間でのパターニングのバラツキなどに起因して、ブロック毎に、配線抵抗にバラツキが生じる可能性が高いことが判明している。即ち、データ線に対応して多数設けられる、しかも、基板上の広範な領域に点在して設けられる中継用配線の幅等を調整することで、配線抵抗を揃えるのは困難である。
【０００７】
他方、特許文献３及び４の技術によっても、シリアル−パラレル変換した画像信号を用いて駆動する際に、画像信号線と別層から構成され、概ね高抵抗である中継用配線における配線抵抗を揃えることは極めて困難或いは不可能である。
【０００８】
以上の結果、従来の技術では、シリアル−パラレル変換した画像信号を用いて駆動する際における、中継用配線の配線抵抗バラツキを補償するのには不十分であり、各ブロックの境目で輝度ムラが発生するという技術的問題点がある。
【０００９】
本発明は、上記問題点に鑑み成されたものであり、例えば前述したような各ブロックの境目で輝度ムラが発生するのを防止して、高品質な画像表示を行うことが可能な電気光学装置及び該電気光学装置を備えた各種電子機器を提供することを課題とする。
【課題を解決するための手段】
【００１０】
本発明の電気光学装置は上記課題を解決するために、基板上の画像表示領域に配線された複数の走査線及び複数のデータ線と、前記走査線及び前記データ線に夫々電気的に接続された複数の画素部と、前記複数のデータ線を、Ｎ本の前記データ線を１群とするデータ線群毎に駆動するためにＮ（但し、Ｎは２以上の自然数）個のシリアル−パラレル変換された画像信号が外部回路接続端子を介して供給されるＮ本の画像信号線と、該Ｎ本の画像信号線と、層間絶縁層によって層間絶縁されつつ該Ｎ本の画像信号線の配線方向に交差して形成される中継用配線を含むと共に、前記複数のデータ線の配列に対応して複数配列されており、前記Ｎ本の画像信号線のうち対応する一本に前記中継用配線を含む側の一端が夫々接続される複数の分岐配線と、該複数の分岐配線の他端から夫々供給される前記画像信号を、サンプリング信号に応じて前記データ線に夫々供給する複数のサンプリングスイッチを含むサンプリング回路と、前記データ線群に対応する前記サンプリングスイッチ毎に、前記サンプリング信号を順次供給するデータ線駆動回路とを備えており、前記Ｎ本の画像信号線は、前記複数の分岐配線相互間の配線抵抗の差を補償するように、少なくとも部分的に相互に配線幅が異なる。
【００１１】
本発明の電気光学装置によれば、その駆動時には、シリアル−パラレル変換されたＮ個の画像信号が、外部回路接続端子を介してＮ本の画像信号線に供給され、更に、データ線に対応して配列された中継用配線を含む分岐配線からサンプリング回路へと供給される。例えば、Ｎ個の画像信号は、駆動周波数の上昇を抑えつつ高精細な画像表示を実現すべく、外部回路によって、シリアルな画像信号が、３相、６相、１２相、２４相、・・・など、複数のパラレルな画像信号に変換されることによって生成される。
【００１２】
このような画像信号の供給と並行して、データ線駆動回路によって、データ線群に対応するサンプリングスイッチ毎に、サンプリング信号が順次供給される。すると、サンプリング回路によって、複数のデータ線には、サンプリング信号に応じてデータ線群毎にＮ個の画像信号が順次供給される。よって、同一のデータ線群に属するデータ線は同時に駆動されることとなる。言い換えれば、複数のデータ線は、所定の本数毎にブロック化されており、ブロック単位で、同時に駆動されることとなる。尚、サンプリングスイッチは、例えば、片チャネル型のＴＦＴにより夫々構成され、ソースが中継用配線に電気的に接続され、ドレインがデータ線に接続され、ゲートにサンプリング信号が供給されることでオン状態とされる。
【００１３】
このようにデータ線が駆動されると、各画素部では、例えば、走査線駆動回路から走査線を介して供給される走査信号に応じて、スイッチング動作を行う画素スイッチング素子を介して、データ線より画像信号が表示素子に供給される。これにより、例えば表示素子である液晶素子は供給された画像信号に基づいて画像表示を行う。
【００１４】
Ｎ本の画像信号線と、複数の中継用配線とは異なる層に形成されている。各画像信号線は、例えば画像表示領域の周辺に位置する周辺領域に、複数の分岐配線の配線方向と交差する方向に形成されている。そして、複数の分岐配線は夫々中継用配線を含んでいる。複数の中継用配線は、Ｎ本の画像信号線のうち対応する一本に一端が、例えば、該中継用配線と画像信号線とを絶縁する層間絶縁層に開孔されたコンタクトホールを介して夫々接続されている。一方、複数の中継用配線の他端は対応するサンプリングスイッチに夫々接続されている。
【００１５】
ここで特に、各画像信号線に接続された中継用配線の長さ、即ち、複数の中継用配線とＮ本の画像信号線のうち対応する一本との接続点から複数の中継用配線とサンプリングスイッチのソースとの接続点までの配線長や配線幅の相異に起因して、複数の中継用配線の配線抵抗が相互に異なる場合が殆どである。仮に上述した特許文献１及び２の技術のように、中継用配線の長さや幅を互いに同等にすることなどにより、配線抵抗を揃えようとしたのでは、実際に中継用配線を作成する際に、パターニングのバラツキなどに起因して、例えば基板上での中央付近と端付近との間でのパターニングのバラツキなどに起因して、ブロック毎に、配線抵抗にバラツキが生じる可能性が高い。
【００１６】
しかるに本発明の電気光学装置によれば、複数の中継用配線相互間の配線抵抗の差を補償するように、Ｎ本の画像信号線は、少なくとも部分的に相互に異なる配線幅で形成されている。ここに「配線抵抗の差を補償する」とは、画像信号線の配線幅について何らの工夫を施すことなく、全て一定或いは同じ配線幅として複数の画像信号線を形成した場合と比較して、複数の中継用配線相互間の配線抵抗の差を、多少なりとも小さくすることを意味する。そして理想的には、このような複数の中継用配線相互間の配線抵抗の差を、０に近付ける或いは実質的に０にすることを意味する。このため、Ｎ本の画像信号線の幅を夫々変化させて、複数の中継用配線の相互の配線抵抗の差を殆ど或いは好ましく完全に補償することができる。
【００１７】
更に、複数の画像信号線の配線幅を調整することは、複数の中継用配線の配線幅を調整するのに比べ、パターニングの際のバラツキが小さい。即ち、複数の画像信号線の本数は、中継用配線の本数よりも少ないので、パターニングの際のバラツキも小さい。よって、パターニングの際のバラツキに起因する配線抵抗のバラツキを防止することができる。
【００１８】
尚、各画像信号線の配線幅の調整は、全体に亘って行ってもよいし、或いは一部において行ってもよい。
【００１９】
よって、以上説明したような本発明の電気光学装置では、複数の中継用配線相互間の配線抵抗の差を補償することによって、各データ線群、即ち各ブロックの境目で輝度ムラが発生するのを防止して、高品質な画像表示を行うことが可能となる。
【００２０】
本発明の電気光学装置の一態様では、前記Ｎ本の画像信号線は、前記外部回路接続端子から前記分岐配線を介して前記サンプリング回路に至る配線経路の配線抵抗を揃えるように前記配線幅が異なる。
【００２１】
この態様によれば、外部回路接続端子から分岐配線を介してサンプリング回路に至る配線経路の配線抵抗を揃えるように、即ち、画像信号線の配線幅について何らの工夫を施すことない場合と比較して、係る配線抵抗の差を小さくするように、画像信号線の配線幅が調整されている。好ましくは、配線抵抗を、殆ど又は実践的な意味で相互に同等となるように或いは完全に一致するように、Ｎ本の画像信号線の配線幅が調整されている。従って、このような配線経路における配線抵抗によって電位が変化した画像信号が、各データ線群、即ち各ブロックの境目で相隣接するデータ線に夫々供給されるのを防止することが可能となる。その結果、各データ線群の境目で輝度ムラが発生するのを防止して、電気光学装置において高品質な画像表示を行うことが可能となる。
【００２２】
本発明の電気光学装置の他の態様では、前記Ｎ本の画像信号線は、前記外部回路接続端子から相互に等しい配線距離にある箇所から、夫々最初に前記中継用配線に接続される箇所まで、前記配線幅が異なる。
【００２３】
この態様によれば、Ｎ本の画像信号線は、外部回路接続端子から相互に等しい配線距離にある箇所まで、及び夫々最初に中継用配線に接続される箇所から先の部分についての配線幅は調整する必要がない。言い換えれば、Ｎ本の画像信号線は、配線幅の揃った部分を多く確保しつつ、配線幅を調整することができる。Ｎ本の画像信号線の配線幅を調整する領域は、外部回路接続端子から相互に等しい配線距離にある箇所から、夫々最初に中継用配線に接続される箇所までに限定されているので、パターニングのバラツキなどに起因する、配線抵抗のバラツキが生じる可能性を低くすることができる。尚、本発明に係る「相互に等しい」とは、各データ線群の境目で輝度ムラが実践上問題とならない程度に、画像信号線の配線距離に起因する配線抵抗の差がある場合も含む意味である。
【００２４】
本発明の電気光学装置の他の態様では、前記外部回路接続端子は、前記基板上で平面的に見て、前記基板の一辺に沿って複数配列され、前記データ線駆動回路は、前記基板上で平面的に見て、前記外部回路接続端子と前記複数の画素部が配列された画像表示領域との間において前記一辺に沿って設けられており、前記サンプリング回路は、前記基板上で平面的に見て、前記データ線駆動回路と前記画像表示領域との間において、前記一辺に沿って設けられており、前記Ｎ本の画像信号線は夫々、前記基板上で平面的に見て、前記データ線駆動回路と前記サンプリング回路の間を前記一辺に沿って延びる直線部分と、前記外部回路接続端子から前記データ線駆動回路の周囲を迂回して前記直線部分に至る引回部分とを含み、前記直線部分において前記中継用配線に接続されている。
【００２５】
この態様によれば、Ｎ本の画像信号線は夫々、基板上で平面的に見て、データ線駆動回路とサンプリング回路の間を一辺に沿って延びる直線部分を含んでおり、直線部分において中継用配線に接続されている。また、Ｎ本の画像信号線の夫々は、データ線駆動回路の周囲を迂回して直線部分に至る引回部分を含んでいる。Ｎ本の画像信号線の夫々の直線部分は、同じ層に形成されているので、複数の直線部分からサンプリング回路までの中継用配線の配線距離は相互に異なる、即ち中継用配線の配線抵抗が相互に異なる。
【００２６】
しかるにこの態様によれば、Ｎ本の画像信号線の直線部分及び引回部分のうち少なくとも一方の配線幅を、複数の中継用配線相互間の配線抵抗の差を補償するように形成することができる。
【００２７】
本発明の電気光学装置の他の態様では、前記Ｎ本の画像信号線は、相互に配線長さが異なり、前記複数の分岐配線相互間の配線抵抗の差に加えて、前記Ｎ本の画像信号線相互間の配線抵抗の差を補償するように、前記配線幅が異なる。
【００２８】
この態様によれば、外部回路接続端子からサンプリング回路に至るまでの配線経路において、配線抵抗を相互に揃える、或いは好ましくは一致させることができる。よって、このような配線経路における配線抵抗によって電位が変化した画像信号が、各データ線群の境目で相隣接するデータ線に夫々供給されるのを防止することが可能となる。その結果、各データ線群の境目で輝度ムラが発生するのを防止して、電気光学装置において高品質な画像表示を行うことが可能となる。
【００２９】
本発明の電気光学装置の他の態様では、前記中継用配線は、前記画像信号線と比べて高抵抗の導電材料から形成されている。
【００３０】
この態様によれば、中継用配線は、画像信号線と比べて高抵抗の導電材料から形成されているので、配線幅や配線長が異なったときに生ずる配線抵抗の差が大きいが、画像信号線の配線幅を調整することにより、中継用配線の配線抵抗の差を補償することができる。中継用配線の配線幅を調整することにより中継用配線の配線抵抗を揃えようとする場合に比べて、外部回路接続端子からサンプリング回路に至るまでの配線経路において、配線抵抗を相互に揃える、或いは好ましくは一致させることができる。その結果、各データ線群の境目で輝度ムラが発生するのを防止して、電気光学装置において高品質な画像表示を行うことが可能となる。
【００３１】
本発明の電気光学装置の他の態様では、前記複数の分岐配線は夫々、前記中継用配線に続く配線部分として、前記Ｎ本の画像信号線と同一層から形成されている配線部分を含む。
【００３２】
この態様によれば、複数の分岐配線のうち中継用配線に続く配線部分は、Ｎ本の画像信号線と同一層から形成されている。よって、複数の分岐配線のうち中継用配線に続く配線部分は、Ｎ本の画像信号線と同じ工程でパターニングすることができる。従って、画像信号線に加えて、複数の分岐配線のうち中継用配線に続く配線部分も含めて、同じ工程で配線抵抗を調整することができる。その結果、各データ線群の境目で輝度ムラが発生するのを一層有効に防止して、電気光学装置において高品質な画像表示を行うことが可能となる。
【００３３】
本発明の電子機器は上記課題を解決するために、上述した本発明の電気光学装置（但し、その各種態様も含む）を具備する。
【００３４】
本発明の電子機器は、上述した本発明の電気光学装置を具備してなるので、高品質な画像表示を行うことが可能な、投射型表示装置、テレビ、携帯電話、電子手帳、ワードプロセッサ、ビューファインダ型又はモニタ直視型のビデオテープレコーダ、ワークステーション、テレビ電話、ＰＯＳ端末、タッチパネルなどの各種電子機器を実現できる。また、本発明の電子機器として、例えば電子ペーパなどの電気泳動装置、電子放出装置（Field Emission Display及びConduction Electron-Emitter Display）、これら電気泳動装置、電子放出装置を用いた装置としてDLP（Digital Light Processing）等を実現することも可能である。
【００３５】
本発明のこのような作用及び他の利得は次に説明する実施の形態から明らかにされる。
【発明を実施するための最良の形態】
【００３６】
以下では、本発明の実施形態について図を参照しつつ説明する。以下の実施形態では、本発明の電気光学装置の一例である駆動回路内蔵型のＴＦＴアクティブマトリクス駆動方式の液晶装置を例にとる。
【００３７】
（第１実施形態）
第１実施形態に係る液晶装置について、図１から図１０を参照して説明する。
【００３８】
先ず、図１及び図２を参照して、本実施形態に係る液晶装置における、電気光学パネルの一例としての液晶パネルの全体構成について、説明する。ここに図１は、本実施形態に係る液晶パネルの構成を示す平面図であり、図２は、図１のＨ−Ｈ’線での断面図である。
【００３９】
図１及び図２において、本実施形態に係る液晶パネル１００では、ＴＦＴアレイ基板１０と対向基板２０とが対向配置されている。ＴＦＴアレイ基板１０と対向基板２０との間に液晶層５０が封入されており、ＴＦＴアレイ基板１０と対向基板２０とは、画像表示領域１０ａの周囲に位置するシール領域に設けられたシール材５２により相互に接着されている。
【００４０】
図１において、シール材５２が配置されたシール領域の内側に並行して、画像表示領域１０ａの額縁領域を規定する遮光性の額縁遮光膜５３が、対向基板２０側に設けられている。周辺領域のうち、シール材５２が配置されたシール領域の外側に位置する領域には、データ線駆動回路１０１及び外部回路接続端子１０２がＴＦＴアレイ基板１０の一辺に沿って設けられている。この一辺に沿ったシール領域よりも内側に、サンプリング回路２００が額縁遮光膜５３に覆われるようにして設けられている。また、走査線駆動回路１０４は、この一辺に隣接する２辺に沿ったシール領域の内側に、額縁遮光膜５３に覆われるようにして設けられている。また、ＴＦＴアレイ基板１０上には、対向基板２０の４つのコーナー部に対向する領域に、両基板間を上下導通材１０７で接続するための上下導通端子１０６が配置されている。これらにより、ＴＦＴアレイ基板１０と対向基板２０との間で電気的な導通をとることができる。
【００４１】
ＴＦＴアレイ基板１０上には、外部回接続端子１０２と、データ線駆動回路１０１、走査線駆動回路１０４、上下導通端子１０６等とを電気的に接続するための引回配線９０が形成されている。
【００４２】
図２において、ＴＦＴアレイ基板１０上には、駆動素子である画素スイッチング用のＴＦＴ（Thin Film Transistor）や走査線、データ線等の配線が作り込まれた積層構造が形成される。画像表示領域１０ａには、画素スイッチング用ＴＦＴや走査線、データ線等の配線の上層に画素電極９ａが設けられている。他方、対向基板２０におけるＴＦＴアレイ基板１０との対向面上に、遮光膜２３が形成されている。そして、遮光膜２３上に、ＩＴＯ等の透明材料からなる対向電極２１が複数の画素電極９ａと対向して形成される。
【００４３】
尚、ここでは図示しないが、ＴＦＴアレイ基板１０上には、データ線駆動回路１０１、走査線駆動回路１０４の他に、製造途中や出荷時の当該液晶装置の品質、欠陥等を検査するための検査回路、検査用パターン等が形成されていてもよい。
【００４４】
次に、液晶装置の全体構成について図３及び図４を参照して説明する。ここに、図３は、液晶装置の全体構成を示すブロック図であり、図４は、液晶パネルの電気的な構成を示すブロック図である。
【００４５】
図３に示すように、液晶装置は、液晶パネル１００を備えると共に、外部回路として設けられた画像信号供給回路３００、タイミング制御回路４００、及び電源回路７００を備える。
【００４６】
タイミング制御回路４００は、各部で使用される各種タイミング信号を出力するように構成されている。タイミング制御回路４００の一部であるタイミング信号出力手段により、最小単位のクロックであり各画素を走査するためのドットクロックが作成され、このドットクロックに基づいて、Ｙクロック信号ＣＬＹ、反転Ｙクロック信号ＣＬＹｉｎｖ、Ｘクロック信号ＣＬＸ、反転Ｘクロック信号ＸＣＬｉｎｖ、ＹスタートパルスＤＹ及びＸスタートパルスＤＸが生成される。
【００４７】
画像信号供給回路３００には、外部から１系統の入力画像データＶＩＤが入力される。画像信号供給回路３００は、１系統の入力画像データＶＩＤをシリアル−パラレル変換して、Ｎ相、本実施形態では１２相（Ｎ＝１２）の画像信号ＶＩＤ１〜ＶＩＤ１２を生成する。更に、画像信号供給回路３００において、画像信号ＶＩＤ１〜ＶＩＤ１２の各々の電圧が、所定の基準電位に対して正極性及び負極性に反転され、このように極性反転された画像信号ＶＩＤ１〜ＶＩＤ１２が出力されるようにしてもよい。
【００４８】
また、電源回路７００は、所定の共通電位ＬＣＣの共通電源を、図２に示す対向電極２１に供給する。本実施形態において、対向電極２１は、図２に示す対向基板２０の下側に、複数の画素電極９ａと対向するように形成されている。
【００４９】
次に、液晶パネル１００における電気的な構成について説明する。
【００５０】
図４に示すように、液晶パネル１００には、そのＴＦＴアレイ基板１０の周辺領域に、走査線駆動回路１０４、データ線駆動回路１０１、サンプリング回路２００を含む内部駆動回路が設けられている。
【００５１】
走査線駆動回路１０４には、Ｙクロック信号ＣＬＹ、反転Ｙクロック信号ＣＬＹｉｎｖ、及びＹスタートパルスＤＹが供給される。走査線駆動回路１０４は、ＹスタートパルスＤＹが入力されると、Ｙクロック信号ＣＬＹ及び反転Ｙクロック信号ＣＬＹｉｎｖに基づくタイミングで、走査信号Ｙ１、・・・、Ｙｍを順次生成して出力する。
【００５２】
データ線駆動回路１０１には、Ｘクロック信号ＣＬＸ、反転Ｘクロック信号ＣＬＸｉｎｖ、及びＸスタートパルスＤＸが供給される。データ線駆動回路１０１は、ＸスタートパルスＤＸが入力されると、Ｘクロック信号ＣＬＸ及び反転Ｘクロック信号ＸＣＬＸｉｎｖに基づくタイミングで、サンプリング信号Ｓ１、・・・、Ｓｎを順次生成して出力する。
【００５３】
サンプリング回路２００は、Ｐチャネル型又はＮチャネル型の片チャネル型ＴＦＴ、若しくは相補型のＴＦＴから構成されたサンプリングスイッチ２０２を複数備える。
【００５４】
液晶パネル１００は更に、そのＴＦＴアレイ基板の中央を占める画像表示領域１０ａに、縦横に配線されたデータ線１１４及び走査線１１２を備え、それらの交点に対応する各画素部７０に、マトリクス状に配列された液晶素子１１８の画素電極９ａ、及び画素電極９ａをスイッチング制御するためのＴＦＴ１１６を備える。尚、本実施形態では特に、走査線１１２の総本数をｍ本（但し、ｍは２以上の自然数）とし、データ線１１４の総本数をｎ本（但し、ｎは２以上の自然数）として説明する。
【００５５】
１２相にシリアル−パラレル展開された画像信号ＶＩＤ１〜ＶＩＤ１２は、Ｎ本、本実施形態では１２本の画像信号線１７１を介して液晶パネル１００に供給される。そして、ｎ本のデータ線１１４は、以下に説明するように、画像信号線１７１の本数に対応する１２本のデータ線１１４を１群とするデータ線群毎に、順次駆動される。
【００５６】
データ線駆動回路１０１から、データ線群に対応するサンプリングスイッチ２０２毎にサンプリング信号Ｓｉ（ｉ＝１、２、・・・、ｎ）が順次供給され、サンプリング信号Ｓｉに応じて各サンプリングスイッチ２０２はオン状態となる。後述するように、各サンプリングスイッチ２０２は、分岐配線を介して画像信号線１７１に接続されている。尚、この分岐配線の詳細な構成は後述する。
【００５７】
よって、１２本の画像信号線１７１から画像信号ＶＩＤ１〜ＶＩＤ１２が、オン状態となったサンプリングスイッチ２０２を介して、データ線群に属するデータ線１１４に同時に、且つデータ線群毎に順次供給される。よって、データ線群に属するデータ線１１４は互いに同時に駆動されることとなる。従って、本実施形態では、ｎ本のデータ線１１４をデータ線群毎に駆動するため、駆動周波数が抑えられる。
【００５８】
図４中、一つの画素部７０の構成に着目すれば、ＴＦＴ１１６のソース電極には、画像信号ＶＩＤｋ（但し、ｋ＝１、２、３、・・・、１２）が供給されるデータ線１１４が電気的に接続されている一方、ＴＦＴ１１６のゲート電極には、走査信号Ｙｊ（但し、ｊ＝１、２、３、・・・、ｍ）が供給される走査線１１２が電気的に接続されるとともに、ＴＦＴ１１６のドレイン電極には、液晶素子１１８の画素電極９ａが接続されている。ここで、各画素部７０において、液晶素子１１８は、画素電極９ａと対向電極２１との間に液晶を挟持してなる。従って、各画素部７０は、走査線１１２とデータ線１１４との各交点に対応して、マトリクス状に配列されることになる。
【００５９】
走査線駆動回路１０４から出力される走査信号Ｙ１、・・・、Ｙｍによって、各走査線１１２は線順次に選択される。選択された走査線１１２に対応する画素部７０において、ＴＦＴ１１６に走査信号Ｙｊが供給されると、ＴＦＴ１１６はオン状態となり、当該画素部７０は選択状態となる。液晶素子１１８の画素電極９ａには、ＴＦＴ１１６を一定期間だけそのスイッチを閉じることにより、データ線１１４より画像信号ＶＩＤｋが所定のタイミングで供給される。これにより、液晶素子１１８には、画素電極９ａ及び対向電極２１の各々の電位によって規定される印加電圧が印加される。液晶は、印加される電圧レベルにより分子集合の配向や秩序が変化することにより、光を変調し、階調表示を可能とする。ノーマリーホワイトモードであれば、各画素の単位で印加された電圧に応じて入射光に対する透過率が減少し、ノーマリーブラックモードであれば、各画素の単位で印加された電圧に応じて入射光に対する透過率が増加され、全体として液晶パネル１００からは画像信号ＶＩＤ１〜ＶＩＤ１２に応じたコントラストをもつ光が出射する。
【００６０】
ここで、保持された画像信号がリークするのを防ぐために、蓄積容量１１９が、液晶素子１１８と並列に付加されている。例えば、画素電極９ａの電圧は、ソース電圧が印加された時間よりも３桁も長い時間だけ蓄積容量１１９により保持されるので、保持特性が改善される結果、高コントラスト比が実現されることとなる。
【００６１】
次に、データ線の駆動に係る主要な構成について、より詳細に図５から図７を参照して説明する。図５は、データ線の駆動に係る回路構成を示す図である。図６は、分岐配線及び画像信号線のＴＦＴアレイ基板上におけるレイアウトを示す図である。図７（ａ）は図６のＡ−Ａ’断面図であり、図（ｂ）は、図６のＢ−Ｂ’断面図である。
【００６２】
以下では、データ線１１４の駆動に係る主要な構成について、ｎ本のデータ線１１４が、その配列方向に沿って片方向に或いは双方向のうちの一方の方向にデータ線群毎に順次駆動される際、データ線駆動回路１０１から第（ｉ−１）番目、第ｉ番目、及び第（ｉ＋１）番目に出力される３つのサンプリング信号Ｓｉ−１、Ｓｉ、Ｓｉ＋１に基づいて駆動される３つのデータ線群のうち、特に第ｉ番目のサンプリング信号Ｓｉに基づいて駆動される第ｉデータ線群の構成に着目して説明する。尚、以下に説明する第ｉデータ線群に係る構成は、第（ｉ−１）データ線群及び第（ｉ＋１）データ線群についても同様である。
【００６３】
図５において、第ｉデータ線群に属するデータ線１１４ｅ（１１４ｅ−１〜１１４ｅ−１２）の配列に対応して、１２本の分岐配線Ｅ１〜Ｅ１２が配列されている。また、１２本の画像信号線１７１−１〜１７１−１２は、データ線１１４ｅの配列方向に交差する方向に沿って配列されている。そして、１２本の分岐配線Ｅ１〜Ｅ１２の一端は、１２本の画像信号線１７１−１〜１７１−１２のうち対応する一本に、夫々電気的に接続されると共に、これら１２本の分岐配線Ｅ１〜Ｅ１２の他端は夫々サンプリングスイッチ２０２を介してデータ線１１４ｅに電気的に接続される。各サンプリングスイッチを構成するＴＦＴ２０２は、ソースが分岐配線Ｅｋに接続されると共に、ドレインがデータ線１１４ｅに電気的に接続される。また、各ＴＦＴ２０２のゲートは、制御配線Ｘ１〜Ｘ１２を介してデータ線駆動回路１０１に電気的に接続されている。尚、制御配線Ｘ１〜Ｘ１２には第ｉ番目のサンプリング信号Ｓｉがデータ線駆動回路１０１から供給される。
【００６４】
図６に示すように、ＴＦＴアレイ基板１０上において、１２本の画像信号線１７１−１〜１７１−１２は、例えば、データ線１１４ｅと同一材料の低抵抗のアルミニウム膜によって形成される。また、制御配線Ｘ１〜Ｘ１２は、画像信号線１７１−１〜１７１−１２と交差する方向であってデータ線１１４ｅの延びる方向に配線され、例えばポリシリコン膜によって形成されている。また、各分岐配線Ｅ１〜Ｅ１２は、対応する画像信号線１７１−ｋに電気的に接続される一端側よりデータ線１１４ｅの延びる方向に、配線されている。そして、各分岐配線Ｅ１〜Ｅ１２の一部はサンプリングスイッチ２０２のソース電極を形成し、第ｉデータ線群に属するデータ線１１４ｅの各々の一部はサンプリングスイッチ２０２のドレイン電極を形成し、各制御配線Ｘ１〜Ｘ１２の一部はサンプリングスイッチ２０２のゲート電極を形成する。
【００６５】
ここで、図５において、第ｉデータ線群に属するデータ線１１４ｅのうち、第（ｉ＋１）データ線群に隣接する一のデータ線１１４ｅ−１に対応する分岐配線Ｅ１の構成について、図６に示すように、この分岐配線Ｅ１は、一端が対応する画像信号線１７１−１に電気的に接続される中継用配線Ｈａ１、及び中継配線Ｈａ１の他端に、一端が電気的に接続され、その一部がサンプリングスイッチ２０２のソース電極を形成する補助中継用配線Ｈｂ１を含む。中継用配線Ｈａ１は、例えばポリシリコン膜によって形成されている。また、補助中継用配線Ｈｂ１は、本発明に係る「複数の分岐配線のうち中継用配線に続く配線部分」の一例であり、例えばアルミニウム膜によって形成されている。尚、第ｉデータ線群に電気的に接続される他の分岐配線Ｅ２〜Ｅ１２は、分岐配線Ｅ１と同様の構成を有している。
【００６６】
図６及び図７において、１２本の画像信号線１７１−１〜１７１−１２は、ＴＦＴアレイ基板１０上に、各分岐配線Ｅ１〜Ｅ１２に含まれる補助中継用配線Ｈｂ１〜Ｈｂ１２と、データ線１１４ｅ−１〜１１４ｅ−１２と共に、同一層に形成されており、各分岐配線Ｅ１〜Ｅ１２に含まれる中継用配線Ｈａ１〜Ｈａ１２及び制御配線Ｘ１〜Ｘ１２に対して上層側に形成されている。これら中継用配線Ｈａ１〜Ｈａ１２及び制御配線Ｘ１〜Ｘ１２と、画像信号線１７１−１〜１７１−１２とは、該画像信号線１７１−１〜１７１−１２の下地となる層間絶縁層６０によって互いに層間絶縁されている。また、中継用配線Ｈａ１〜Ｈａ１２及び制御配線Ｘ１〜Ｘ１２は同一層に形成されている。
【００６７】
図７（ａ）に示すように、画像信号線１７１−１は、層間絶縁層６０に開口されたコンタクトホールＣ１を介して、中継用配線Ｈａ１に電気的に接続されており、図７（ｂ）示すように、画像信号線１７１−１２は、層間絶縁層６０に開口されたコンタクトホールＣ１２を介して、中継用配線Ｈａ１２に電気的に接続されている。
【００６８】
ここで特に、図６において、各画像信号線１７１−１〜１７１−１２に接続された中継用配線Ｈａ１〜Ｈａ１２の長さ、即ち、複数の中継用配線Ｈａ１〜Ｈａ１２と１２本の画像信号線１７１−１〜１７１−１２のうち対応する一本との接続点から複数の中継用配線Ｈａ１〜Ｈａ１２とサンプリングスイッチ２００のソースとの接続点までの配線長Ｌ１〜Ｌ１２や配線幅Ｗ１〜Ｗ１２の相異に起因して、複数の中継用配線Ｈａ１〜Ｈａ１２の配線抵抗が相互に異なる場合が殆どである。
【００６９】
図９に比較例として示すように、中継用配線Ｈａ１〜Ｈａ１２の配線長Ｌ１〜Ｌ１２や配線幅Ｗ１〜Ｗ１２を互いに調整することにより、配線抵抗を揃えようとしたのでは、実際に中継用配線Ｈａ１〜Ｈａ１２を作成する際に、パターニングのバラツキなどに起因して、例えば基板上での中央付近と端付近との間でのパターニングのバラツキなどに起因して、ブロック毎に、配線抵抗にバラツキが生じる可能性が高い。
【００７０】
次に本実施形態に係る画像信号線及び中継用配線の配線について、図８及び図９を参照して説明する。ここに図８は、本実施形態に係る画像信号線及び中継用配線の引き回しを示す平面図である。
【００７１】
図８において、本実施形態では特に、複数の中継用配線Ｈａ１〜Ｈａ１２相互間の配線抵抗の差を補償するように、１２本の画像信号線１７１−１〜１７１−１２は、少なくとも部分的に相互に異なる配線幅Ｗｖ１〜Ｗｖ１２で形成されている。言い換えれば、図９に比較例として示すように、画像信号線１７１−１〜１７１−１２の配線幅Ｗｖ１〜Ｗｖ１２について何らの工夫を施すことなく、全て一定或いは同じ配線幅として複数の画像信号線１７１−１〜１７１−１２を形成した場合と比較して、図８に示した本実施形態では複数の中継用配線Ｈａ１〜Ｈａ１２相互間の配線抵抗の差が小さくなるように構成されている。そして理想的には、このような複数の中継用配線Ｈａ１〜Ｈａ１２相互間の配線抵抗の差は、実質的に０とされている。このように、１２本の画像信号線１７１−１〜１７１−１２の配線幅Ｗｖ１〜Ｗｖ１２を夫々変化させて、複数の中継用配線Ｈａ１〜Ｈａ１２の相互の配線抵抗の差を殆ど或いは好ましく完全に補償することができる。
【００７２】
更に、複数の画像信号線１７１−１〜１７１−１２の配線幅Ｗｖ１〜Ｗｖ１２を調整することは、複数の中継用配線Ｈａ１〜Ｈａ１２の配線幅Ｗ１〜Ｗ１２を調整するのに比べ、パターニングの際のバラツキが小さい。即ち、複数の画像信号線１７１−１〜１７１−１２の本数は１２本であり、中継用配線の本数（即ち、ｎ本）よりも少ないので、パターニングの際のバラツキも小さい。よって、パターニングの際のバラツキに起因する配線抵抗のバラツキを防止することができる。
【００７３】
尚、本実施形態では、後に詳述するように、各画像信号線１７１−１〜１７１−１２の配線幅Ｗｖ１〜Ｗｖ１２の調整を各画像信号線１７１−１〜１７１−１２の配線の一部分において行っているが、全体に亘って行ってもよい。
【００７４】
よって、以上説明したような本実施形態に係る液晶装置では、複数の中継用配線Ｈａ１〜Ｈａ１２相互間の配線抵抗の差を補償することによって、各データ線群、即ち各ブロックの境目で輝度ムラが発生するのを防止して、高品質な画像表示を行うことが可能となる。
【００７５】
図６及び図８において、本実施形態では特に、１２本の画像信号線１７１−１〜１７１−１２は、外部回路接続端子１０２−１〜１０２−１２から中継用配線Ｈａ１〜Ｈａ１２を含む分岐配線Ｅ１〜Ｅ１２を介してサンプリング回路２００に至る配線経路の配線抵抗を揃えるように配線幅Ｗｖ１〜Ｗｖ１２が異なる。
【００７６】
本実施形態によれば、外部回路接続端子１０２−１〜１０２−１２から分岐配線を介してサンプリング回路２００に至る配線経路の配線抵抗を揃えるように、即ち、図９に比較例として示すように画像信号線の配線幅Ｗｖ１〜Ｗｖ１２について何らの工夫を施すことない場合と比較して、係る配線抵抗の差を小さくするように、画像信号線の配線幅Ｗｖ１〜Ｗｖ１２が調整されている。好ましくは、配線抵抗を、殆ど一致するように、１２本の画像信号線の配線幅Ｗｖ１〜Ｗｖ１２が調整されている。従って、このような配線経路における配線抵抗によって電位が変化した画像信号ＶＩＤ１〜ＶＩＤ１２が、各データ線群、即ち各ブロックの境目で相隣接するデータ線に夫々供給されるのを防止することが可能となる。その結果、各データ線群の境目で輝度ムラが発生するのを防止して、液晶装置において高品質な画像表示を行うことが可能となる。
【００７７】
更に図８において、本実施形態では特に、１２本の画像信号線１７１−１〜１７１−１２は、外部回路接続端子１０２−１〜１０２−１２から相互に等しい配線距離にある箇所Ｐ１〜Ｐ１２から、夫々最初に中継用配線Ｈａ１〜Ｈａ１２に接続される箇所Ｓ１〜Ｓ１２まで、配線幅Ｗｖ１〜Ｗｖ１２が異なる。
【００７８】
このため、１２本の画像信号線１７１−１〜１７１−１２は、外部回路接続端子１０２−１〜１０２−１２から相互に等しい配線距離にある箇所Ｐ１〜Ｐ１２まで、及び夫々最初に中継用配線Ｈａ１〜Ｈａ１２に接続される箇所Ｓ１〜Ｓ１２から先の部分についての配線幅は調整する必要がない。言い換えれば、１２本の画像信号線１７１−１〜１７１−１２は、配線幅の揃った部分を多く確保しつつ、配線幅を調整することができる。１２本の画像信号線１７１−１〜１７１−１２の配線幅を調整する領域は、外部回路接続端子１０２−１〜１０２−１２から相互に等しい配線距離にある箇所Ｐ１〜Ｐ１２から、夫々最初に中継用配線Ｈａ１〜Ｈａ１２に接続される箇所Ｓ１〜Ｓ１２までに限定されているので、パターニングのバラツキなどに起因する、配線抵抗のバラツキが生じる可能性を低くすることができる。尚、各データ線群の境目で輝度ムラが実践上問題とならない程度に、画像信号線１７１−１〜１７１−１２の配線距離に起因する配線抵抗の差があってもよい。
【００７９】
図６及び図８において、本実施形態では特に、１２本の画像信号線１７１−１〜１７１−１２は夫々、ＴＦＴアレイ基板１０上で平面的に見て、データ線駆動回路１０１とサンプリング回路２００の間を一辺に沿って延びる直線部分を含んでおり、直線部分において中継用配線Ｈａ１〜Ｈａ１２に接続されている。また、１２本の画像信号線１７１−１〜１７１−１２の夫々は、データ線駆動回路１０１の周囲を迂回して直線部分に至る引回部分を含んでいる。１２本の画像信号線１７１−１〜１７１−１２の夫々の直線部分は、同じ層に形成されているので、複数の直線部分からサンプリング回路２００までの中継用配線Ｈａ１〜Ｈａ１２の配線距離Ｌ１〜Ｌ１２は相互に異なる。従って、中継用配線Ｈａ１〜Ｈａ１２の配線抵抗が相互に異なる。
【００８０】
しかるに本実施形態によれば、１２本の画像信号線１７１−１〜１７１−１２の直線部分及び引回部分のうち少なくとも一方の配線幅を、複数の中継用配線Ｈａ１〜Ｈａ１２相互間の配線抵抗の差を補償するように形成することができる。
【００８１】
図８において、本実施形態では特に、複数の分岐配線Ｅ１〜Ｅ１２相互間の配線抵抗の差に加えて、１２本の画像信号線１７１−１〜１７１−１２相互間の配線抵抗の差を補償するように、１２本の画像信号線１７１−１〜１７１−１２を配線幅Ｗｖ１〜Ｗｖ１２が異なるようにしてもよい。このようにすれば、外部回路接続端子１０２−１〜１０２−１２からサンプリング回路２００に至るまでの配線経路において、配線抵抗を相互に揃える、或いは好ましくは一致させることができる。従って、このような配線経路における配線抵抗によって電位が変化した画像信号が、各データ線群の境目で相隣接するデータ線に夫々供給されるのを防止することが可能となる。その結果、各データ線群の境目で輝度ムラが発生するのを防止して、液晶装置において高品質な画像表示を行うことが可能となる。
【００８２】
図８において、本実施形態では特に、中継用配線Ｈａ１〜Ｈａ１２は、画像信号線１７１−１〜１７１−１２と比べて高抵抗の導電材料から形成されている。よって、配線幅や配線長が異なったときに生ずる配線抵抗の差が大きい。しかるに本実施形態によれば、中継用配線Ｈａ１〜Ｈａ１２の配線抵抗の差を補償するように画像信号線１７１−１〜１７１−１２の配線幅Ｗｖ１〜Ｗｖ１２を調整するので、図９に比較例として示したような中継用配線Ｈａ１〜Ｈａ１２の配線幅Ｗ１〜Ｗ１２を調整することにより中継用配線Ｈａ１〜Ｈａ１２の配線抵抗を揃えようとする場合に比べて、外部回路接続端子１０２−１〜１０２−１２からサンプリング回路２００に至るまでの配線経路において、配線抵抗を相互に揃える、或いは好ましくは一致させることができる。その結果、各データ線群の境目で輝度ムラが発生するのを防止して、液晶装置において高品質な画像表示を行うことが可能となる。
【００８３】
再び図６において、本実施形態では特に、複数の分岐配線Ｅ１〜Ｅ１２のうち中継用配線Ｈａ１〜Ｈａ１２に続く配線部分である補助中継用配線Ｈｂ１〜Ｈｂ１２は、１２本の画像信号線１７１−１〜１７１−１２と同一層から形成されている。よって、補助中継用配線Ｈｂ１〜Ｈｂ１２は、１２本の画像信号線１７１−１〜１７１−１２と同じ工程でパターニングすることができる。従って、画像信号線１７１−１〜１７１−１２に加えて、補助中継用配線Ｈｂ１〜Ｈｂ１２も含めて、同じ工程で配線抵抗を調整することができる。その結果、各データ線群の境目で輝度ムラが発生するのを一層有効に防止して、液晶装置において高品質な画像表示を行うことが可能となる。
【００８４】
次に、本実施形態に係る画像信号線の配線幅の例を、図８及び図１０を参照して説明する。ここに図１０（ａ）は、画像信号線と抵抗値の関係を示すグラフであり、図１０（ｂ）は、図（ａ）における配線長さの条件を示す一覧表である。
【００８５】
図１０（ａ）は、画像信号線１７１−１〜１７１−１２が図１０（ｂ）に示す配線長Ｌ０、Ｌ１及びＬ２（図８参照）並びに配線幅Ｗｖ１〜Ｗｖ１２の場合の外部回路接続端子１０２−１〜１０２−１２からサンプリング回路２００に至るまでの配線経路における抵抗値を示している。図１０に示すように、画像信号線１７１−１〜１７１−１２の配線幅Ｗｖ１〜Ｗｖ１２を調整した場合（図１０中、「第１実施形態」）は、配線幅が一定の場合（図１０中、「配線幅一定」）と比較して、配線経路における抵抗値を殆ど揃えることができる。その結果、各データ線群の境目で輝度ムラが発生するのを一層有効に防止して、液晶装置において高品質な画像表示を行うことが可能となる。
【００８６】
（電子機器）
次に、上述した電気光学装置である液晶装置を各種の電子機器に適用する場合について説明する。
【００８７】
まず、この液晶装置をライトバルブとして用いたプロジェクタについて説明する。図１１は、プロジェクタの構成例を示す平面図である。この図１１に示されるように、プロジェクタ１１００内部には、ハロゲンランプ等の白色光源からなるランプユニット１１０２が設けられている。このランプユニット１１０２から射出された投射光は、ライトガイド１１０４内に配置された４枚のミラー１１０６および２枚のダイクロイックミラー１１０８によってＲＧＢの３原色に分離され、各原色に対応するライトバルブとしての液晶パネル１１１０Ｒ、１１１０Ｂおよび１１１０Ｇに入射される。
【００８８】
液晶パネル１１１０Ｒ、１１１０Ｂおよび１１１０Ｇの構成は、上述した液晶装置と同等であり、画像信号処理回路から供給されるＲ、Ｇ、Ｂの原色信号でそれぞれ駆動されるものである。そして、これらの液晶パネルによって変調された光は、ダイクロイックプリズム１１１２に３方向から入射される。このダイクロイックプリズム１１１２においては、ＲおよびＢの光が９０度に屈折する一方、Ｇの光が直進する。したがって、各色の画像が合成される結果、投射レンズ１１１４を介して、スクリーン等にカラー画像が投写されることとなる。
【００８９】
ここで、各液晶パネル１１１０Ｒ、１１１０Ｂおよび１１１０Ｇによる表示像について着目すると、液晶パネル１１１０Ｇによる表示像は、液晶パネル１１１０Ｒ、１１１０Ｂによる表示像に対して左右反転することが必要となる。
【００９０】
なお、液晶パネル１１１０Ｒ、１１１０Ｂおよび１１１０Ｇには、ダイクロイックミラー１１０８によって、Ｒ、Ｇ、Ｂの各原色に対応する光が入射するので、カラーフィルタを設ける必要はない。
【００９１】
次に、液晶装置を、モバイル型のパーソナルコンピュータに適用した例について説明する。図１２は、このパーソナルコンピュータの構成を示す斜視図である。図１２において、コンピュータ１２００は、キーボード１２０２を備えた本体部１２０４と、液晶表示ユニット１２０６とから構成されている。この液晶表示ユニット１２０６は、先に述べた液晶装置１００５の背面にバックライトを付加することにより構成されている。
【００９２】
さらに、液晶装置を、携帯電話に適用した例について説明する。図１３は、この携帯電話の構成を示す斜視図である。図１３において、携帯電話１３００は、複数の操作ボタン１３０２とともに、反射型の液晶装置１００５を備えるものである。この反射型の液晶装置１００５にあっては、必要に応じてその前面にフロントライトが設けられる。
【００９３】
尚、図１１から図１３を参照して説明した電子機器の他にも、液晶テレビや、ビューファインダ型、モニタ直視型のビデオテープレコーダ、カーナビゲーション装置、ページャ、電子手帳、電卓、ワードプロセッサ、ワークステーション、テレビ電話、ＰＯＳ端末、タッチパネルを備えた装置等などが挙げられる。そして、これらの各種電子機器に適用可能なのは言うまでもない。
【００９４】
本発明は、上述した実施形態に限られるものではなく、請求の範囲及び明細書全体から読み取れる発明の要旨或いは思想に反しない範囲で適宜変更可能であり、そのような変更を伴う電気光学装置及び該電気光学装置を備えてなる電子機器もまた本発明の技術的範囲に含まれるものである。
【図面の簡単な説明】
【００９５】
【図１】液晶パネルの全体構成を示す平面図である。
【図２】図１のＨ−Ｈ’断面図である。
【図３】液晶装置の全体構成を示すブロック図である。
【図４】液晶パネルの電気的な構成を示すブロック図である。
【図５】データ線の駆動に係る回路構成を示す図である。
【図６】分岐配線及び画像信号線のレイアウトを示す図である。
【図７】図７（ａ）は、図６のＡ−Ａ’断面図であって、図７（ｂ）は図６のＢ−Ｂ’断面図である。
【図８】画像信号線及び中継用配線の引き回しを示す平面図である。
【図９】比較例における図８と同趣旨の平面図である。
【図１０】図１０（ａ）は、画像信号線と抵抗値の関係を示すグラフであり、図１０（ｂ）は、（ａ）における配線長さの条件を示す一覧表である。
【図１１】液晶装置を適用した電子機器の一例たるプロジェクタの構成を示す平面図である。
【図１２】液晶装置を適用した電子機器の一例たるパーソナルコンピュータの構成を示す斜視図である。
【図１３】液晶装置を適用した電子機器の一例たる携帯電話の構成を示す斜視図である。
【符号の説明】
【００９６】
１０ａ…画像表示領域、１０…ＴＦＴアレイ基板、２０…対向基板、７０…画素部、１００…液晶パネル、１０２…外部回路接続端子、１０１…データ線駆動回路、１０４…走査線駆動回路、１１２…走査線、１１４…データ線、１７１…画像信号線、２００…サンプリング回路、２０２…サンプリングスイッチ、Ｃ１〜Ｃ１２…コンタクトホール、Ｈａ１〜Ｈａ１２…中継用配線、Ｈｂ１〜Ｈｂ１２…補助中継用配線、Ｌ１〜Ｌ１２…配線長、ＶＩＤ１〜ＶＩＤ１２…画像信号、Ｗ１〜Ｗ１２、Ｗｖ１〜Ｗｖ１２…配線幅
【図１】
2006227243.tif 000003
【図２】
2006227243.tif 000004
【図３】
2006227243.tif 000005
【図４】
2006227243.tif 000006
【図５】
2006227243.tif 000007
【図６】
2006227243.tif 000008
【図７】
2006227243.tif 000009
【図８】
2006227243.tif 000010
【図９】
2006227243.tif 000011
【図１０】
2006227243.tif 000012
【図１１】
2006227243.tif 000013
【図１２】
2006227243.tif 000014
【図１３】
2006227243.tif 000015